(57)【特許請求の範囲】
【請求項１】
包装装置ユニットとロール巻きされた包装用紙の支持部とが、１枚の支持プレート上に取付けられるとともに、その支持プレートが包装機の機体側フレームに複数箇所で取付けられてなる薬剤分包機の包装装置支持機構において、
前記支持プレートが前記機体側フレームに対して、前記機体側フレームの背面側に配される弾発部材を介在させて固着手段によって取付けられ、前記固着手段の締結力を調整することにより前記支持プレートの前記固着手段による締結方向の出入量を調整できるようにされていることを特徴とする薬剤分包機の包装装置支持機構。
【請求項２】
前記弾発部材として、コイルバネもしくは皿バネ、またはゴム質材の筒体が用いられる請求項１に記載の薬剤分包機の包装装置支持機構。
【発明の詳細な説明】
【０００１】
【発明が属する技術分野】
本発明は、病院や診療所などで使用される薬剤分包機の包装装置支持機構に係るものであって、詳しくは分割包装するシール部への包装用紙の供給状態が安定するように位置調整容易な構成にできる薬剤分包機の包装装置支持機構に関するものである。
【０００２】
【従来の技術】
従来、薬局で処方箋に基づき調剤された薬剤を分包するのに使用されている薬剤分包機では、機械の上部に散剤の分割部と錠剤の分割部とが設けられ、機体の内部に図６で例示されるように、一対のヒートシールローラ１１とその回転駆動機構（図示せず）を備える支持体と、前記ヒートシールローラ１１部に用紙を案内する包装用紙のガイド部材（Ｕガイド１３）とを組合された包装装置のユニット４０が設けられ、この包装装置ユニット４０へ斜め上側から前記ガイド部材１３により流れ方向に沿って二つ折りされつつ包装用紙３０を供給して、前記分割部で所要量に分割された薬剤を包装部に供給するホッパー１４がシール部の直前位置に配置されており、そのホッパー１４を経て供給される１包分の薬剤を前記ヒートシールローラ１１によって分包する操作が連続して行えるように構成されている。なお、包装用紙３０は芯管にロール巻きされたものが支持部１５で支持されて順次繰出し供給される。図中符号１７，１８は用紙の供給ガイドである。
【０００３】
このようにされる包装装置ユニット４０と供給するロール巻きされた包装用紙の支持部１５とは、１枚の支持プレート上に取付けられてユニット化され、その支持プレートを包装機の本体フレームに縦向きにしてボルトで定着されている。このようにされる包装機構にあっては、１枚の支持プレートに包装装置ユニット４０やロール巻きした用紙の支持部１５が取付けられて、これらの組立を容易にすると同時に使用時における用紙の流れ調整が容易にできる構成とされている。
【０００４】
【発明が解決しようとする課題】
ところが、この種形式の薬剤分包機は、比較的小型化されていて移動設置が容易なようにキャスターを底部に備えた構成とされている。そのために、ユーザーのもとにおいて設置するに際しては、大型の包装装置とは異なり、設置場所を特定してその据付け基礎を固定するものでない関係上、全体のレベルを正しく設定することが行われ難い。
【０００５】
そして、包装機構の取付部は、前述のように、１枚の支持プレートに支持されて本体フレームに対してボルトで固定的に取付けられている。したがって、それら全体としては、組立時に正常に動作するように調整して取付けられ、円滑な動作が行われるように設定されているが、その組立に際して取付部での歪や工作程度によって調整が厄介である。しかも、据付け時などの都合で初期設定するとき、出荷時のままで用紙の流れを円滑にすることができない場合がある。また、工場から出荷されてユーザーに届けられる輸送時の取扱いで、組立に際して設定されていた初期設定の条件に狂いが生じていることもある。このような場合、その調整を行うには、支持プレートが固定的に取付けられている関係から、従来の構造では部分的に取付部品を外してその取付具合を加減するなどしなければならず、作業に手間取るという問題点があった。何分にも用紙の流れを正確に行えるようにしておかないと、長時間使用を続けるうちに用紙にズレが生じて確実な包装ができなくなるという問題が生じる。
【０００６】
本発明にては、このような問題点を解決して、初期設定に際して用紙の流れを円滑にする調整が、簡単で容易に行えるように構成された薬剤分包機の包装装置支持機構を提供することを目的とするものである。
【０００７】
【課題を解決するための手段】
前記目的を達成するために、本発明による薬剤分包機の包装装置支持機構は、
包装装置ユニットとロール巻きされた包装用紙の支持部とが、１枚の支持プレート上に取付けられるとともに、その支持プレートが包装機の機体側フレームに複数箇所で取付けられてなる薬剤分包機の包装装置支持機構において、
前記支持プレートが前記機体側フレームに対して、前記機体側フレームの背面側に配される弾発部材を介在させて固着手段によって取付けられ、前記固着手段の締結力を調整することにより前記支持プレートの前記固着手段による締結方向の出入量を調整できるようにされていることを特徴とするものである（第１発明）。
【０００８】
本発明によれば、包装装置ユニットと包装用紙の支持部とが装着される１枚の支持プレートを包装機の機体側フレームに対して取付けるのに、その支持プレートを取付ける個所で機体側フレームの背面側に配される弾発部材を介在させて固着手段によって取付けられているので、当該取付部においてその弾発部材を備える固着手段（例えばボルトナット）の締結力を調整することにより、機体側フレームに対する支持プレートの前後出入量を微細に調整して包装装置ユニットや包装用紙の支持部の垂直度もしくは支持プレートの微妙な取付け歪みを修正して、用紙の流れを正常な状態とする調整ができる。したがって、部品の付け外しを一切行わずに調整作業を行えて、作業性が向上し、手数を少なくして目的を達成できるという効果を奏する。なお、前記固着手段による締結に際しては、弾発部材が組み込まれていることにより、締付け部を緩めることがあっても、その弾発部材の蓄勢力で微細な緩めに際してクッション性が発生することはなく、常時緊張力が作用して固定状態を維持できる。したがって、複数の固定個所で締結力を加減してバランスを取ることが容易であるから、締結状態の変化にも簡単に対応できるという利点がある。
【０００９】
前記弾発部材として、コイルバネもしくは皿バネ、またはゴム質材の筒体が用いられるのがよい（第２発明）。このような弾発部材を用いることで、固着手段に常時緊張力を付勢して取付けることができ、しかもその締付程度を変化させても長さ方向に大きく変化を起させず、弾発部材の軸方向変位を利用して支持プレートの取付け出入量の微調整とその変化に対応した固定を確実なものとすることができる。
【００１０】
【発明の実施の形態】
次に、本発明による薬剤分包機の包装装置支持機構の具体的な実施の形態につき、図面を参照しつつ説明する。
【００１１】
図１には本発明にかかる包装装置支持機構を備える薬剤分包機の外観図が、図２にヒートシールユニットとロール巻きされた包装用紙の支持部とを備える包装部の正面図が、図３に包装部の取付構造を分解してバックフレームの背面側から表わす斜視図が、図４に包装部の取付支持機構を表わす拡大断面図が、それぞれ示されている。
【００１２】
本実施形態による包装装置支持機構を備えた薬剤分包機１は、図１に示されるように、所要寸法で横長のキャビネット構造にされた本体２の操作前面側上部の一方に片寄せて周知構造の散剤分割部３が設けられ、上面の一方に片寄せて周知構造の錠剤分割部４が設けてあり、本体２の前内部における中央部から前記錠剤・散剤の分割部３，４と反対側に包装部５が配置されている。そして、図示省略するが前記散剤分割部３および錠剤分割部４で分割されたそれぞれの薬剤が、間欠的に包装部５の上方に送られて、１包分ずつ包装部５のホッパー１４内に薬剤を投入して分包されるように、前記薬剤の間欠移送機構が付設された構成とされている。
【００１３】
前記包装部５は、図２に示されるように、一対のヒートシールローラ１１を所要の速度で回転駆動するように支持された公知構造のヒートシールユニット１０（本発明の包装装置ユニットに対応）と、このヒートシールユニット１０の上流側（用紙の流れ方向で、以下、上流・下流とは用紙の移動する方向を指す）に、用紙を長手方向に沿って二つ折りするためのＵガイド１３と、ヒートシールによって区分される手前位置に分割された薬剤を投入するためのホッパー１４が配置されており、ヒートシールユニット１０から適宜寸法離れてロール巻きされた包装用紙３０の支持部１５と、その包装用紙３０のガイドローラ１７，１８とが配置されて、１枚の支持プレート２０の前面に取付けられている。
【００１４】
前記支持プレート２０は、取付けによって歪を生じさせない剛性を備えるものであり、その四辺の適所に所要のピッチで複数の取付孔２１が設けられ、本体フレーム（図示せず）に取付けられるバックフレーム８（本発明の機体側フレームに相当）には、その支持プレート２０を前面に装着できるように前記取付孔２１に対応してボルト孔９が設けてある。なお、前記バックフレーム８は鋼板製で、周囲８ａを後方に折曲げて断面強度を高めた構造で、かつその底部８ｂを前後方向に後方へ適宜長さ突出して安定状態に取付けられる断面Ｌ字形にされている。
【００１５】
このようにされたバックフレーム８は、本体フレームのほぼ中央部（これに限定されない）に底部８ｂを取付けて直立状態にされている。このバックフレーム８に対する前記支持プレート２０の取付け部では、図３および図４で示されるように、その支持プレート２０に穿設された段付きの取付孔２１からバックフレーム８のボルト孔９に取付ボルト２３（本発明の固着手段に対応）を挿通して、そのバックフレーム８の背面側でコイルスプリング２４（本発明の弾発部材に相当）を介在させてナット２５，２５ａ（本発明の固着手段に対応）にて締結固定される。ここで使用されるコイルスプリング２４は、線条を密接に近い状態に巻成されて締付け可能ではあるが通常のスプリングよりも弾発性の小さいものが使用されている。なお、図中符号２６は座金である。
【００１６】
このように構成される本実施形態では、薬剤分包機を設置する場合、あるいは組立作業時において、包装部５を構成するヒートシールローラユニット１０とＵガイド１３およびロール巻きした包装用紙３０の支持部１５などを装着した支持プレート２０を本体側に取付けるのに、本体フレームに取付けられているバックフレーム８に対して、前述のように複数個所で、そのバックフレーム８の背面側にてコイルスプリング２４を介在させて取付ボルト２３をナット２５，２５ａで締結されて組付けられるので、初期設定時にあたっては、取付ボルト２３とナット２５，２５ａとによる締付け具合を加減することにより、バックフレーム８に対する支持プレート２０の取付時における前後方向の姿勢をコイルスプリング２４の弾発力を利用して調整できるのである。この取付ボルト２３に被嵌したコイルスプリング２４は、前述のように、僅かに軸線方向に伸縮できる構造のものであるから、その軸線方向の撓み量が少ない故、微妙な締め加減の調整で固定的に支持プレート２０の前後方向の変位を設定でき、設定後は緩み止めとなるナット２５ａによってナット２５を取付ボルト２５に対して固定させることにより、コイルスプリング２４に加えた軸力を定常に保たせて弾性運動を起させることなく固定状態に保持できることになる。
【００１７】
図５に示されるのは、包装部の取付支持機構の他の実施形態を分解して表わす図であって、前記支持プレート２０を本体側に取付けるのに、本体フレームに取付けられているバックフレーム８に対して、前述のように複数個所で、そのバックフレーム８の背面側にてコイルスプリング２４'を介在させて取付ボルト２７を座付ナット２８で締結されるものである。この実施形態では、前記取付ボルト２７の頭部２７ａは角形にされ、支持プレート２０における取付孔２１ａにその頭部２７ａが嵌め込まれて廻り止めとなるように角形の座付孔とされ、座付ナット２８で前記コイルスプリング２４'を介して取付ボルト２７とによる締結で、そのコイルスプリング２４'による弾発力を利用する締結固定機能が、取付け各所で有機的に微調整して用紙の流れを正しく設定できるようにされている。このような構成にしても、従来の固定手段とは異なり、コイルスプリング２４'の蓄勢力を利用することにより薬剤分包機の設置時に最終調整するのを容易にして、かつ設定後の緩みなどを生じさせない固定力が確保できる。
【００１８】
このように、本実施形態の包装装置の支持機構においては、本体フレーム側に対して装着される包装部５の支持プレート２０を取付部において弾性部材を介在させて締結することにより、用紙の流れを正常にする初期設定に際して、取付ボルト２３による締め加減を調整するだけて正しく設定することが可能になり、部品の脱着や全体を例えばシムを用いるなどして取付姿勢を調整するような複雑な作業を簡易化でき、短時間で設定できることになり、作業性の向上を図ることができるという効果が得られる。
【００１９】
上記説明では、支持プレートの取付部において使用されている弾性部材として密接型のコイルスプリングを用いているが、これに代えて皿バネの組合せを採用することも可能である。また、弾性部材として硬質のゴム質材にてなる筒状のものを用いるともできる。なお、鞍形のバネ座金を用いることも可能であり、前記皿バネと同様の効果が得られる。
【図面の簡単な説明】
【図１】図１は、本発明にかかる包装装置支持機構を備える薬剤分包機の外観図である。
【図２】図２は、ヒートシールユニットとロール巻きされた包装用紙の支持部とを備える包装部の正面図である。
【図３】図３は、包装部の取付構造を分解してバックフレームの背面側から表わす斜視図である。
【図４】図４は、包装部の取付支持機構を表わす拡大断面図である。
【図５】図５は、包装部の取付支持機構の他の実施形態を分解して表わす図である。
【図６】図６は、従来の薬剤分包機における包装部を表わす図である。
【符号の説明】
１                    薬剤分包機
２                    本体
５                    包装部
８                    バックフレーム
９                    ボルト孔
１０                  ヒートシールユニット
１１                  ヒートシールローラ
１３                  Ｕガイド
１４                  ホッパー
１５                  ロール巻きされた包装用紙の支持部
２０                  支持プレート
２１                  取付孔
２３，２７            取付ボルト
２４，２４'          コイルスプリング
２５，２５ａ          ナット
２８                  座付ナット
３０                  包装用紙
【図１】
0004086504.tif 000002
【図２】
0004086504.tif 000003
【図３】
0004086504.tif 000004
【図４】
0004086504.tif 000005
【図５】
0004086504.tif 000006
【図６】
0004086504.tif 000007